(57)【特許請求の範囲】
【請求項１】
ユーザー情報を含むデータベースからのユーザー情報のコンテキストリンクされたインポートおよび対話方式の環境へのインポートのための方法であって、該方法は、コンピューターにより実行され、該対話方式の環境は、該コンピューター上にインプリメントされ、かつ、ネットワークを介して他のユーザーにアクセス可能であり、該方法は、
該コンピューターが、複数の予め識別されたユーザーによるコンテンツのポスティングを可能にする対話方式の環境を提供することと、
該コンピューターが、予め識別されたユーザーから、該対話方式の環境のための第一のコンテンツを受信することと、
該コンピューターが、第一の予め識別されたユーザーによりポスティングされた該第一のコンテンツに基づいて該予め識別されたユーザーに関する関連データをデータベースから自動的に識別および選択することであって、該関連データは、（ｉ）該第一のコンテンツに対して自然言語処理を実行すること、（ｉｉ）該第一のコンテンツに適用された一つ以上のタグを構文解析すること、または（ｉｉｉ）該第一のコンテンツに基づいて推測を形成することにより、該第一のコンテンツに対する一つ以上の関連用語を識別することと、該一つ以上の関連用語に基づいて該データベースから関連データを選択することとにより、該第一の予め識別されたユーザーによりポスティングされた該第一のコンテンツに含まれる情報に基づいて、該第一の予め識別されたユーザーにより以前に送られたデータから選択される、ことと、
該コンピューターが、該対話方式の環境上に、該第一のコンテンツと共に該関連データを他のユーザーに表示することと
を含む、方法。
【請求項２】
請求項１に記載の方法であって、該方法は、
前記コンピューターが、前記データベースを前記コンテンツに含まれる情報でアップデートすることをさらに含む、方法。
【請求項３】
前記データベースはトピック関連データベースであり、トピックは健康に関する、請求項１に記載の方法。
【請求項４】
前記関連データは、少なくとも１つの病状メトリックを含む、請求項３に記載の方法。
【請求項５】
前記関連データは、チャートで表示される、請求項１に記載の方法。
【請求項６】
請求項１に記載の方法であって、該方法は、
前記コンピューターが、第二の予め識別されたユーザーから応答を受信することと、
該コンピューターが、該第二の予め識別されたユーザーに関する関連データをデータベースから自動的に識別および選択することであって、該第二の予め識別されたユーザーに関する該関連データは、該第二の予め識別されたユーザーから受信された該応答に含まれる情報に基づいて選択される、ことと、
該コンピューターが、前記対話方式の環境上に該応答と共に該第二の予め識別されたユーザーに関する該関連データを他のユーザーに表示することと
をさらに含む、方法。
【請求項７】
非一時的および有形のコンピューター読取り可能媒体であって、該非一時的および有形のコンピューター読取り可能媒体のコンテンツは、コンピューターに、データベースからのユーザー情報の対話方式の環境へのコンテキストリンクされたインポートのための方法を実行させ、該対話方式の環境は、コンピューター上にインプリメントされ、かつ、他のユーザーにアクセス可能であり、該方法は、
複数の予め識別されたユーザーによるコンテンツのポスティングを可能にする該コンピューター上の対話方式の環境を提供することと、
予め識別されたユーザーから、該対話方式の環境に対する該コンピューター上の第一のコンテンツを受信することと、
第一の予め識別されたユーザーによりポスティングされた該第一のコンテンツに基づいて該予め識別されたユーザーに関する関連データを該コンピューター上でデータベースから自動的に識別および選択することであって、該関連データは、（ｉ）該第一のコンテンツに対して自然言語処理を実行すること、（ｉｉ）該第一のコンテンツに適用された一つ以上のタグを構文解析すること、または（ｉｉｉ）該第一のコンテンツに基づいて推測を形成することにより、該第一のコンテンツに対する一つ以上の関連用語を識別することと、該一つ以上の関連用語に基づいて該データベースから関連データを選択することとにより、該第一の予め識別されたユーザーによりポスティングされた該第一のコンテンツに含まれる情報に基づいて、該第一の予め識別されたユーザーにより以前に送られたデータから選択される、ことと、
該コンピューターを介して、該対話方式の環境上に、該第一のコンテンツと共に該関連データを他のユーザーに表示することと
を含む、非一時的および有形のコンピューター読取り可能媒体。
【請求項８】
データベースからのユーザー情報のコンテキストリンクされた識別および対話方式の環境へのインポートのためのシステムであって、該対話方式の環境は、コンピューター上にインプリメントされ、かつ、他のユーザーにアクセス可能であり、該システムは、
データベースと、
該データベースと通信するサーバーと
を備え、該サーバーは、
複数の予め識別されたユーザーによるコンテンツのポスティングを可能にする対話方式の環境を提供することと、
第一の予め識別されたユーザーから、該対話方式の環境に対するコンテンツを受信することと、
該第一の予め識別されたユーザーによりポスティングされた第一のコンテンツに基づいて該第一の予め識別されたユーザーに関する関連データをデータベースから自動的に識別および選択することであって、該関連データは、（ｉ）該第一のコンテンツに対して自然言語処理を実行すること、（ｉｉ）該第一のコンテンツに適用された一つ以上のタグを構文解析すること、または（ｉｉｉ）該第一のコンテンツに基づいて推測を形成することにより、該第一のコンテンツに対する一つ以上の関連用語を識別することと、該一つ以上の関連用語に基づいて該データベースから関連データを選択することとにより、該第一の予め識別されたユーザーによりポスティングされた該第一のコンテンツに含まれる情報に基づいて、該第一の予め識別されたユーザーにより以前に送られたデータから選択される、ことと、
該対話方式の環境上に該第一のコンテンツと共に該関連データを他のユーザーに表示することと
を行うように構成されている、システム。
【請求項９】
ユーザー情報を含むデータベースからのユーザー情報のコンテキストリンクされた識別および対話方式のフォーラムへのインポートのための方法であって、該方法は、コンピューターにより実行され、該対話方式のフォーラムは、該コンピューター上でホストされ、かつ、ネットワークを介して他のユーザーにアクセス可能であり、該方法は、
該コンピューターが、予め識別されたユーザーの医療状態または医療履歴に関する第一の予め識別されたユーザーからのデータを受信することと、
該コンピューターが、該第一の予め識別されたユーザーの医療状態または医療履歴に関する該データをデータベースに格納することと、
該コンピューターが、複数の予め識別されたユーザーによる医療トピックに関するコンテンツのポスティングおよび表示を可能にする対話方式のフォーラムを提供することと、
該コンピューターが、第一の予め識別されたユーザーから、対話方式の環境のために医療トピックに関連する第一のコンテンツを受信することと、
該コンピューターが、該第一の予め識別されたユーザーによりポスティングされた該第一のコンテンツに基づいて該第一の予め識別されたユーザーの医療状態または医療履歴に関する関連データを該データベースから自動的に識別および選択することであって、該関連データは、（ｉ）該第一のコンテンツに対して自然言語処理を実行すること、（ｉｉ）該第一のコンテンツに適用された一つ以上のタグを構文解析すること、または（ｉｉｉ）該第一のコンテンツに基づいて推測を形成することにより、該第一のコンテンツに対する一つ以上の関連用語を識別することと、該一つ以上の関連用語に基づいて該データベースから関連データを選択することとにより、該第一の予め識別されたユーザーによりポスティングされた該第一のコンテンツに含まれる情報に基づいて選択される、ことと、
該コンピューターが、該対話方式のフォーラム上に、該第一のコンテンツと共に該第一の予め識別されたユーザーの医療状態または医療履歴に関する関連データを他のユーザーに表示することと
を含む、方法。
【請求項１０】
前記関連データは、前記予め識別されたユーザーによる前記第一のコンテンツの対話方式のフォーラムへのポスティングの後に、前記第一の予め識別されたユーザーにより送られたデータを含む、請求項１に記載の方法。
【発明の詳細な説明】
【技術分野】
【０００１】
（関連出願）
本願は、２００９年３月３１日に出願された米国仮特許出願第６１／１６５，４６３号に対する優先権を主張する。上記仮特許出願の全内容が、本明細書により本明細書で参照することにより援用される。
【０００２】
（技術分野）
本発明は、ユーザー情報のコンテキストリンクされたインポートのためのシステムおよび方法に関する。発明の実施形態は、メッセージボードのような対話方式の環境に特に適用可能である。
【背景技術】
【０００３】
（発明の背景）
ワールドワイドウェブの到来は、人々が事実上任意のトピックに関する情報、意見および経験を共有する新たな機会を提供する。ウェブベースシステムおよび方法論のサポートによって、共通のゴールおよび興味を有する人々は、地球上のどこからでも即座に対話および通信し得る。
【０００４】
多くのウェブサイトが共通のゴールまたは属性を共有する人々の特定のグループの役に立つために存在する。そのようなウェブサイトは、しばしばメッセージボードを含み、メッセージボードではユーザーがさまざまな興味あるトピックに関して互いに通信し得る。
【０００５】
従来のメッセージボードは、いくつかの欠陥に苦しんでいる。例えば、ユーザーは他の投稿の信頼性および／または正確性を評価するのに困難さを有する。同じようにして、直接対面の通信なしに、ユーザーは、ポスティングに対するコンテキストを不足し得る。特に、ユーザーが会話の途中で参加する場合に、不足し得る。
【発明の概要】
【発明が解決しようとする課題】
【０００６】
したがって、ユーザー情報のコンテキストリンクされたインポートのためのシステムおよび方法に対する必要性が存在する。
【課題を解決するための手段】
【０００７】
（発明の概要）
本明細書で説明される発明のさまざまな局面は、ユーザー情報のコンテキストリンクされたインポートのためのシステムおよび方法を提供する。
【０００８】
本発明の一局面は、ユーザー情報のコンテキストリンクされたインポートのための方法を提供する。方法は、複数の予め識別されたユーザーによるコンテンツのポスティングを可能にする対話方式の環境を提供することと、予め識別されたユーザーからの、対話方式の環境のためのコンテンツを受信することと、予め識別されたユーザーに関する関連データであって、関連データは、コンテンツに含まれる情報に基づいて選択される、関連データをデータベースから選択することと、対話方式の環境上のコンテンツと共に、関連データを表示することとを含む。
【０００９】
本発明のこの局面は、さまざまな実施形態を有し得る。方法は、データベースをコンテンツに含まれる情報でアップデートすることを含み得る。データベースは、トピック関連データベースであり得る。トピックは、健康に関し得る。
【００１０】
関連データは、少なくとも１つの病状メトリックを含み得る。病状メトリックは、病状の量的な表示であり得る。病状メトリックは、病理学の直接計測、機能的損傷のユーザー報告計測、健康に関連する生活の質のユーザー報告結果および病状のユーザー報告進展から構成されるグループから選択された１つであり得る。
【００１１】
病状は、パーキンソン病、ハンティングトン舞踏病およびツレット症候群を含む運動障害と、背中の痛みを含み痛み障害と、関節炎、変形性関節炎、リウマチ様動脈炎、乾癬性関節炎、ライム病および痛風を含むリウマチ障害と、てんかんを含む発作障害と、筋萎縮性側索硬化症、多発性硬化症、クロイツフェルト‐ヤーコプ病およびアルツハイマー病を含む神経退行性疾患と、喘息、慢性閉塞性肺疾患および嚢胞性線維症を含む肺疾患と、勃起不全および膣痙を含む性障害と、うつ病および不安を含む気分障害と、ニコチン嗜癖およびアルコール中毒を含む嗜癖と、片頭痛と、線維筋痛症と、疲労障害と、痴呆と、摂食障害と、高コレステロール血症と、高脂血症と、高リポ蛋白血症と、高トリグリセリド血症と、脈管炎（ｖａｓｃｕｌａｔｉｔｉｓ）と、糖尿病と、肥満症と、胃食道逆流性疾患と、消化不良と、貧血と、癌と、高血圧症と、腎不全と、狼瘡と、妊娠と、術後状態とから構成されるグループから選択された１つであり得る。
【００１２】
関連データは、介入データを含み得る。介入データは、介入投薬と、介入頻度と、介入指示順守度とから構成されるグループから選択された少なくとも１つを含み得る。介入データは、医薬投与と、治療薬投与と、栄養サプリメントの投与と、ビタミンの投与と、運動と、理学療法と、マッサージと、ストレッチと、食品の消費と、休憩と、睡眠とから構成されるグループから選択された介入に関するデータであり得る。
【００１３】
方法は、ユーザーが介入または病状メトリックに関する新たなデータを送るためのインターフェイスを提供することをさらに含み得る。新たなデータは、対話方式の環境上の投稿と共に、表示され得る。
【００１４】
関連データは、グラフィカル要素に表示され得る。グラフィカル要素は、チャートであり得る。チャートは、折れ線チャートであり得る。時間は、チャートのｘ軸上に描写され得る。方法は、コンピューターインプリメント方法であり得る。
【００１５】
方法は、第二の予め識別されたユーザーから応答を受信することと、第二の予め識別されたユーザーに関する関連データであって、関連データは、応答に含まれる情報に基づいて選択された第二の予め識別されたユーザーに関する関連データである、関連データをデータベースから選択することと、対話方式の環境上の応答と共に、第二の予め識別されたユーザーに関する関連データを表示することとのステップを含み得る。
【００１６】
方法は、ユーザーが介入または病状メトリックに関する新たなデータを送るためのインターフェイスを提供することを含み得る。方法は、コンテンツボード上の投稿と共に、新たなデータを表示することを含み得る。方法は、コンテンツと共に、コンテンツの主題に関するさらなる情報へのハイパーリンクを表示することを含み得る。
【００１７】
本発明の別の局面は、ユーザー情報のコンテキストリンクされたインポートのための方法をコンピューターに実行させるコンテンツのコンピューター読取り可能媒体を提供する。方法は、複数の予め識別されたユーザーによるコンテンツのポスティングを可能にする対話方式の環境を提供することと、予め識別されたユーザーから、対話方式の環境に対するコンテンツを受信することと、予め識別されたユーザーに関する関連データであって、関連データは、コンテンツに含まれた情報に基づいて選択される、関連データをデータベースから選択することと、対話方式の環境上のコンテンツと共に、関連データを表示することとを含む。コンピューター読取り可能媒体は、非一時的および有形であり得る。
【００１８】
本発明の別の局面は、ユーザー情報のコンテキストリンクされたインポートのためのシステムを提供する。システムは、データベースと、データベースと通信するサーバーを含む。サーバーは、複数の予め識別されたユーザーによるコンテンツのポスティングを可能にする対話方式の環境を提供し、予め識別されたユーザーから、対話方式の環境に対するコンテンツを受信し、予め識別されたユーザー（ｕｓｅ）に関する関連データをデータベースから選択し、対話方式の環境上のコンテンツと共に、関連データを表示するように構成されている。関連データは、コンテンツに含まれる情報に基づいて選択される。
【００１９】
本発明の別の局面は、ユーザー情報のコンテキストリンクされたインポートのためのシステムを提供する。システムは、メッセージングモジュールおよびデータインポートモジュールを含む。メッセージングモジュールは、複数の予め識別されたユーザーによるコンテンツのポスティングを可能にする対話方式の環境を提供し、予め識別されたユーザーから、対話方式の環境に対するコンテンツを受信し、対話方式の環境上のコンテンツと共に、関連データを表示するように構成されている。データインポートモジュールは、コンテンツに含まれる情報に基づいて、予め識別されたユーザーに関する関連データをデータベースから選択するように構成されている。システムは、予め識別されたユーザーを認証するように構成されている認証モジュールを含み得る。
【００２０】
本発明の別の局面は、ユーザー情報のコンテキストリンクされたインポートのための方法を提供する。方法は、ユーザーの少なくとも１人は予め識別されている複数のユーザー間で、コンテンツの伝送を可能にするメッセージングシステムを提供することと、第一の予め識別されたユーザーから第二のユーザーへコンテンツを受信することと、予め識別されたユーザーに関する関連データであって、関連データは、コンテンツに含まれる情報に基づいて選択される、関連データをデータベースから選択することと、コンテンツと共に、関連データを第二のユーザーに示すこととを含む。
【００２１】
本願明細書は、例えば、以下の項目も提供する。
（項目１）
ユーザー情報のコンテキストリンクされたインポートのための方法であって、該方法は、
複数の予め識別されたユーザーによるコンテンツのポスティングを可能にする対話方式の環境を提供することと、
予め識別されたユーザーから、該対話方式の環境のためのコンテンツを受信することと、
該予め識別されたユーザーに関する関連データをデータベースから選択することであって、該関連データは、該コンテンツに含まれる情報に基づいて選択される、ことと、
該対話方式の環境上に、該コンテンツと共に該関連データを表示することと
を含む、方法。
（項目２）
項目１に記載の方法であって、該方法は、
前記データベースを前記コンテンツに含まれる情報でアップデートすることをさらに含む、方法。
（項目３）
前記データベースはトピック関連データベースである、項目１に記載の方法。
（項目４）
トピックは、健康に関する、項目１に記載の方法。
（項目５）
前記関連データは、少なくとも１つの病状メトリックを含む、項目４に記載の方法。
（項目６）
前記病状メトリックは、病状の量的な表示である、項目５に記載の方法。
（項目７）
前記病状メトリックは、病理学の直接計測、機能的損傷のユーザー報告計測、健康に関連する生活の質のユーザー報告結果および病状のユーザー報告進展から構成されるグループから選択された１つである、項目５に記載の方法。
（項目８）
前記病状は、パーキンソン病、ハンティングトン舞踏病およびツレット症候群を含む運動障害と、背中の痛みを含む痛み障害と、関節炎、変形性関節炎、リウマチ様動脈炎、乾癬性関節炎、ライム病および痛風を含むリウマチ障害と、てんかんを含む発作障害と、筋萎縮性側索硬化症、多発性硬化症、クロイツフェルト‐ヤーコプ病およびアルツハイマー病を含む神経退行性疾患と、喘息、慢性閉塞性肺疾患および嚢胞性線維症を含む肺疾患と、勃起不全および膣痙を含む性障害と、うつ病および不安を含む気分障害と、ニコチン嗜癖およびアルコール中毒を含む嗜癖と、片頭痛と、線維筋痛症と、疲労障害と、痴呆と、摂食障害と、高コレステロール血症と、高脂血症と、高リポ蛋白血症と、高トリグリセリド血症と、脈管炎（ｖａｓｃｕｌａｔｉｔｉｓ）と、糖尿病と、肥満症と、胃食道（ｇａｓｔｒｏｅｓｏｐｈｏｇｅａｌ）逆流性疾患と、消化不良と、貧血と、癌と、高血圧症と、腎不全と、狼瘡と、妊娠と、術後状態とから構成されるグループから選択された１つである、項目５に記載の方法。
（項目９）
前記関連データは、介入データを含む、項目４に記載の方法。
（項目１０）
前記介入データは、介入投薬と、介入頻度と、介入指示順守度とから構成されるグループから選択された少なくとも１つを含む、項目９に記載の方法。
（項目１１）
前記介入データは、医薬投与と、治療薬投与と、栄養サプリメントの投与と、ビタミンの投与と、運動と、理学療法と、マッサージと、ストレッチと、食品の消費と、休憩と、睡眠とから構成されるグループから選択された介入に関するデータである、項目９に記載の方法。
（項目１２）
項目１に記載の方法であって、該方法は、
前記ユーザーが介入または病状メトリックに関する新たなデータを送るためのインターフェイスを提供することをさらに含む、方法。
（項目１３）
項目１１に記載の方法であって、該方法は、
前記対話方式の環境上に、投稿と共に新たなデータを表示することをさらに含む、方法。
（項目１４）
前記関連データは、グラフィカル要素で表示される、項目１に記載の方法。
（項目１５）
前記グラフィカル要素は、チャートである、項目１３に記載の方法。
（項目１６）
前記チャートは、折れ線チャートである、項目１５に記載の方法。
（項目１７）
時間が、前記チャートのｘ軸上に描写される、項目１５に記載の方法。
（項目１８）
前記方法は、コンピューターインプリメント方法である、項目１に記載の方法。
（項目１９）
項目１に記載の方法であって、該方法は、
第二の予め識別されたユーザーから応答を受信することと、
該第二の予め識別されたユーザーに関する関連データをデータベースから選択することであって、該第二の予め識別されたユーザーに関する該関連データは、該応答に含まれる情報に基づいて選択される、ことと、
前記対話方式の環境上に該応答と共に該第二の予め識別されたユーザーに関連する該関連データを表示することと
をさらに含む、方法。
（項目２０）
項目１に記載の方法であって、該方法は、
メッセージと共に、該メッセージの主題に関するさらなる情報へのハイパーリンクを表示することをさらに含む、方法。
（項目２１）
項目１に記載の方法であって、前記予め識別されたユーザーに関する関連データをデータベースから選択するステップは、
メッセージ上で自然言語処理を実行することを含む、方法。
（項目２２）
項目１に記載の方法であって、前記予め識別されたユーザーに関する関連データをデータベースから選択するステップは、
前記コンテンツに適用された１つ以上のタグを閲覧することを含む、方法。
（項目２３）
コンピューター読取り可能媒体であって、該コンピューター読取り可能媒体のコンテンツは、ユーザー情報のコンテキストリンクされたインポートのための方法をコンピューターに実行させ、該方法は、
複数の予め識別されたユーザーによるコンテンツのポスティングを可能にする対話方式の環境を提供することと、
予め識別されたユーザーから、該対話方式の環境に対するコンテンツを受信することと、
該予め識別されたユーザーに関する関連データをデータベースから選択することであって、該関連データは、該コンテンツに含まれた情報に基づいて選択される、ことと、
該対話方式の環境上に該コンテンツと共に該関連データを表示することと
を含む、コンピューター読取り可能媒体。
（項目２４）
前記コンピューター読取り可能媒体は、非一時的かつ有形である、項目２３に記載のコンピューター読取り可能媒体。
（項目２５）
ユーザー情報のコンテキストリンクされたインポートのためのシステムであって、該システムは、
データベースと、
該データベースと通信するサーバーと
を備え、該サーバーは、
複数の予め識別されたユーザーによるコンテンツのポスティングを可能にする対話方式の環境を提供することと、
予め識別されたユーザーから、該対話方式の環境に対するコンテンツを受信することと、
該予め識別されたユーザーに関する関連データをデータベースから選択することであって、該関連データは、該コンテンツに含まれる情報に基づいて選択される、ことと、
該対話方式の環境上に該コンテンツと共に該関連データを表示することと
を行うように構成されている、システム。
（項目２６）
ユーザー情報のコンテキストリンクされたインポートのためのシステムであって、該システムは、
メッセージングモジュールであって、該メッセージングモジュールは、
複数の予め識別されたユーザーによるコンテンツのポスティングを可能にする対話方式の環境を提供することと、
予め識別されたユーザーから、対話方式の環境に対するコンテンツを受信することと、
該対話方式の環境上に該コンテンツと共に関連データを表示することと
を行うように構成されている、メッセージングモジュールと、
該コンテンツに含まれる情報に基づいて、該予め識別されたユーザーに関する関連データをデータベースから選択するように構成されているデータインポートモジュールと
を含む、システム。
（項目２７）
項目２６に記載のシステムであって、該システムは、
前記予め識別されたユーザーを認証するように構成されている認証モジュールをさらに含む、システム。
（項目２８）
ユーザー情報のコンテキストリンクされたインポートのための方法であって、該方法は、
複数のユーザー間でのコンテンツの伝送を可能にするメッセージングシステムを提供することであって、該ユーザーの少なくとも１人は予め識別されている、ことと、
第一の予め識別されたユーザーから第二のユーザーへのコンテンツを受信することと、
該予め識別されたユーザーに関する関連データをデータベースから選択することであって、該関連データは、該コンテンツに含まれる情報に基づいて選択される、ことと、
該コンテンツと共に該関連データを該第二のユーザーに示すことと
を含む、方法。
本発明の性質および所望の目的をより完全に理解するために、添付の図面に関連して、以下の詳細な説明へ参照がなされる。類似の参照文字は、いくつかの図を一貫して、対応する部分を示す。
【図面の簡単な説明】
【００２２】
【図１】図１は、本発明に従った例示的ネットワークトポロジーを描写する。
【図２Ａ】図２Ａおよび図２Ｂは、本発明の実施形態に従った対話方式の環境の動作を描写する。
【図２Ｂ】図２Ａおよび図２Ｂは、本発明の実施形態に従った対話方式の環境の動作を描写する。
【図３】図３は、本発明の一実施形態に従ったユーザー情報のコンテキストリンクされたインポートのための方法を描写する。
【図４】図４は、コンピューターソフトウェアおよび／またはハードウェアシステムにおける本発明の実施形態を描写する。
【図５】図５は、本発明の一実施形態に従ったデータ入力のための例示的ユーザーインターフェイスを描写する。
【図６Ａ】図６Ａ〜図６Ｄは、本発明の一実施形態に従ったデータ入力のためのユーザーインターフェイスの実施形態を描写する。
【図６Ｂ】図６Ａ〜図６Ｄは、本発明の一実施形態に従ったデータ入力のためのユーザーインターフェイスの実施形態を描写する。
【図６Ｃ】図６Ａ〜図６Ｄは、本発明の一実施形態に従ったデータ入力のためのユーザーインターフェイスの実施形態を描写する。
【図６Ｄ】図６Ａ〜図６Ｄは、本発明の一実施形態に従ったデータ入力のためのユーザーインターフェイスの実施形態を描写する。
【図７】図７は、本発明の一実施形態に従ったセルフアップデートフォーラムの実施形態を描写する。
【図８】図８は、本発明の実施形態を組み込んだブログを描写する。
【発明を実施するための形態】
【００２３】
（定義）
本発明は、以下の定義を参照することで最も明確に理解される。
【００２４】
明細書および特許請求の範囲で用いられた場合、単数形の「１つの（ａ）」、「１つの（ａｎ）」および「前記、該（ｔｈｅ）」は、文脈が明確にそうではないと述べない限り、複数形の参照物を含む。
【００２５】
「疾患」という用語は、身体機能を害する生物の異常な状態を指す。疾患という用語は、限定されるわけではないが、神経疾患（例えば、筋萎縮性側索硬化症（ＡＬＳ）、多発性硬化症（ＭＳ）、パーキンソン病）、ヒト免疫不全ウイルス（ＨＩＶ）、後天性免疫不全症候群（ＡＩＤＳ）、癌（例えば、膀胱癌、血液癌、乳癌、大腸癌、子宮内膜癌、白血病、肺癌、リンパ腫、卵巣癌、膵臓癌、前立腺癌および皮膚癌）、糖尿病、消化不良（例えば、過敏性腸症候群（ｉｒｒｉｔａｂｌｅ  ｂｏｗｅｒ  ｓｙｎｄｒｏｍｅ）、胃食道逆流性疾患およびクローン病）、心臓血管疾患、骨粗鬆症、慢性閉塞性肺疾患（ＣＯＰＤ）、関節炎、アレルギー、老人病および自己免疫疾患（例えば、狼瘡）を含むさまざまな理学的病気を含む。疾患という用語は、また、限定されるわけではないが、うつ病、不安障害、心的外傷後ストレス障害、気分障害、精神病性障害、人格障害および摂食障害を含む精神的病気を含む。
【００２６】
「病状」という用語は、症状のような疾患の発現を指す。例えば、患者が筋萎縮性側索硬化症（ＡＬＳ）に苦しんでいる場合、患者は、嚥下困難（減損された飲み込み）のような１つ以上の病状を経験し得る。
【００２７】
「介入」という用語は、１つ以上の病状に正、負または中立的な効果を有する任意のイベントを指す。介入という用語は、限定されるわけではないが、医薬投与、治療薬投与、栄養サプリメントの投与、ビタミンの投与、運動、理学療法、マッサージ、ストレッチ、食品の消費、休憩および睡眠を含むさまざまな活動を含む。
【００２８】
「スレッド」という用語は、１つ以上の選ばれたトピックに従う一連のメッセージ、ポスティングなどを指す。
【００２９】
「対話方式の環境」という用語は、複数のユーザーが対話し得る任意の構成物を指す。例示的対話方式の環境は、限定されるわけではないが、メッセージボード、アンサーベースフォーラム、ウィキ、ウェブログ（「ブログ」としても公知）、マイクロブログ（例えば、Ｓａｎ  Ｆｒａｎｃｉｓｃｏ，ＣａｌｉｆｏｒｎｉａのＴｗｉｔｔｅｒ，Ｉｎｃ．から入手可能なＴＷＩＴＴＥＲ（登録商標））、ソーシャルネットワーキングサイト（例えば、Ｐａｌｏ  Ａｌｔｏ，ＣａｌｉｆｏｒｎｉａのＦａｃｅｂｏｏｋ，Ｉｎｃ．から入手可能なＦＡＣＥＢＯＯＫ（登録商標）、Ｍｏｕｎｔａｉｎ  Ｖｉｅｗ，ＣａｌｉｆｏｒｎｉａのＬｉｎｋｅｄＩｎ，Ｌｔｄ．から入手可能なＬＩＮＫＥＤＩＮ（登録商標）など）およびプライベートメッセージ（例えば、電子メール）のようなスレッドベースフォーラムを含む。
【００３０】
（詳細な説明）
本明細書で説明される発明のさまざまな局面は、ユーザー情報のコンテキストリンクされたインポートのためのシステムおよび方法を提供する。発明の局面は、特に、メッセージボード（インターネットフォーラム、オンラインディスカッションサイト、掲示板、などとしても知られる）のような対話方式環境に適用可能である。発明の局面は、インターネットアプリケーションの他の種類にも適用可能である。
【００３１】
一般的に、発明の局面は、ユーザーの経歴および／または履歴の局面を統合し、ユーザーの経歴および／または履歴から関係するデータをユーザーによるポスティングに関連付ける。
【００３２】
図１を参照すると、対話方式環境（例えば、メッセージボード）のための例示的ネットワークトポロジー１００が描写される。メッセージボードは、ネットワーク１０６を介してクライアント１０４ａ〜ｃと通信状態にあるサーバー１０２上でホストされる。
【００３３】
「クライアント」および「サーバー」という用語は、要素１０２と要素１０４ａ〜１０４ｃとの間のクライアント−サーバー関係を反映するために用いられる。サーバー要素１０２にとって適切なデバイスは、くだけた言葉で「サーバー」として知られる、より高い処理パワーを有するコンピューターを含む（しかし、それに限定されない）汎用コンピューターを含むが、それに限定されない。同じように、クライアント要素１０４ａ〜１０４ｃにとって適切なデバイスは、デスクトップコンピューター、ラップトップコンピューター、タブレットコンピューター、パーソナルデジタルアシスタント、セルラー電話、スマートホン、ビデオゲームシステム、デジタルビデオレコーダー（ＤＶＲ）などを含む（しかし、それに限定されない）汎用コンピューターを含むが、それに限定されない。
【００３４】
クライアント１０４は、１つ以上の周辺機器（描写されていない）と情報交換し得る。そのような周辺機器は、インスリンポンプ、ペースメーカーなどのような医療用デバイスにならび、カメラ、マイクロホンなどのような従来の周辺機器を含み得る。クライアント１０４は、さまざまな有線またはワイヤレス規格を用いて、周辺機器と情報交換し得る。
【００３５】
適切な有線規格は、ユニバーサルシリアルバス（ＵＳＢ）、ＵＳＢ  ２．０、ＩＥＥＥ  １３９４、ペリフェラルコンポーネントインターコネクト（ＰＣＩ）、イーサネット（登録商標）、ギガビットイーサネット（登録商標）などを含む。ＵＳＢおよびＵＳＢ  ２．０規格は、Ａｎｄｒｅｗ  Ｓ．Ｔａｎｅｎｂａｕｍ，Ｓｔｒｕｃｔｕｒｅｄ  Ｃｏｍｐｕｔｅｒ  Ｏｒｇａｎｉｚａｔｉｏｎ  §３．６．４（５ｔｈ  ｅｄ．２００６）；およびＡｎｄｒｅｗ  Ｓ．Ｔａｎｅｎｂａｕｍ，Ｍｏｄｅｒｎ  Ｏｐｅｒａｔｉｎｇ  Ｓｙｓｔｅｍｓ  ３２（２ｄ  ｅｄ．２００１）のような文献で説明される。ＩＥＥＥ  １３９４規格は、Ａｎｄｒｅｗ  Ｓ．Ｔａｎｅｎｂａｕｍ，Ｍｏｄｅｒｎ  Ｏｐｅｒａｔｉｎｇ  Ｓｙｓｔｅｍｓ  ３２（２ｄ  ｅｄ．２００１）で説明される。ＰＣＩ規格は、Ａｎｄｒｅｗ  Ｓ．Ｔａｎｅｎｂａｕｍ，Ｍｏｄｅｒｎ  Ｏｐｅｒａｔｉｎｇ  Ｓｙｓｔｅｍｓ  ３１（２ｄ  ｅｄ．２００１）；Ａｎｄｒｅｗ  Ｓ．Ｔａｎｅｎｂａｕｍ，  Ｓｔｒｕｃｔｕｒｅｄ  Ｃｏｍｐｕｔｅｒ  Ｏｒｇａｎｉｚａｔｉｏｎ  ９１，１８３−８９（４ｔｈ  ｅｄ．１９９９）で説明される。イーサネット（登録商標）およびギガビットイーサネット（登録商標）規格は、Ａｎｄｒｅｗ  Ｓ．Ｔａｎｅｎｂａｕｍ，Ｃｏｍｐｕｔｅｒ  Ｎｅｔｗｏｒｋｓ  １７，６５−６８，２７１−９２（４ｔｈ  ｅｄ．２００３）で議論される。
【００３６】
適切なワイヤレス規格は、Ｂｌｕｅｔｏｏｔｈ、ＩＥＥＥ  ８０２．１１、ＩＥＥＥ  ８０２．１５．４などを含む。Ｂｌｕｅｔｈｏｏｔｈ規格は、Ａｎｄｒｅｗ  Ｓ．Ｔａｎｅｎｂａｕｍ，Ｃｏｍｐｕｔｅｒ  Ｎｅｔｗｏｒｋｓ  ２１，３１０−１７（４ｔｈ  ｅｄ．  ２００３）で議論される。ＩＥＥＥ  ８０２．１１規格は、Ａｎｄｒｅｗ  Ｓ．Ｔａｎｅｎｂａｕｍ，Ｃｏｍｐｕｔｅｒ  Ｎｅｔｗｏｒｋｓ  ２９２−３０２（４ｔｈ  ｅｄ．  ２００３）で議論される。ＩＥＥＥ  ８０２．１５．４規格は、Ｙｕ−Ｋａｉ  Ｈｕａｎｇ  ＆  Ａｉ−Ｃｈａｎ  Ｐａｎｇ，“Ａ  Ｃｏｍｐｒｅｈｅｎｓｉｖｅ  Ｓｔｕｄｙ  ｏｆ  Ｌｏｗ−Ｐｏｗｅｒ  Ｏｐｅｒａｔｉｏｎ  ｉｎ  ＩＥＥＥ  ８０２．１５．４，”  ｉｎ  ＭＳＷｉＭ’０７  ４０５−０８（２００７）で説明される。
【００３７】
ネットワーク１０６は、データをクライアント１０４ａ〜１０４ｃとサーバー１０２との間で伝送することが可能な任意のネットワーク、例えば、イントラネットまたはインターネットであり得る。
【００３８】
サーバーはデータベース１０８と通信状態にあり得る。データベース１０８は、データベース管理システム（ＤＢＭＳ）を通して動作させられ得る。ＤＢＭＳは、データに課せられ、データの論理的および構造化された組織を形成する。ＤＢＭＳは、データの物理的記憶装置とユーザーの間に存在し、２者間の情報交換を扱う。ＤＢＭＳの例は、ＤＢ２（登録商標）およびＩＮＦＯＲＭＩＸ（登録商標）（両者ともＡｒｍｏｎｋ，Ｎｅｗ  ＹｏｒｋのＩＢＭ  Ｃｏｒｐ．から入手可能）；ＭＩＣＲＯＳＯＦＴ  ＪＥＴ（登録商標）およびＭＩＣＲＯＳＯＦＴ  ＳＱＬ  ＳＥＲＶＥＲ（登録商標）（両者ともＲｅｄｍｏｎｄ，ＷａｓｈｉｎｇｔｏｎのＭｉｃｒｏｓｏｆｔ  Ｃｏｒｐ．から入手可能）；ＭＹＳＱＬ（登録商標）（Ｓｔｏｃｋｈｏｌｍ，ＳｗｅｄｅｎのＭｙＳＱＬ  Ｌｔｄ．  Ｃｏ．から入手可能）；ＯＲＡＣＬＥ（登録商標）  Ｄａｔａｂａｓｅ（Ｒｅｄｗｏｏｄ  Ｃｉｔｙ，  ＣａｌｉｆｏｒｎｉａのＯｒａｃｌｅ  Ｉｎｔ’ｌ  Ｃｏｒｐから入手可能）；およびＳＹＢＡＳＥ（登録商標）（Ｄｕｂｌｉｎ，ＣａｌｉｆｏｒｎｉａのＳｙｂａｓｅ，  Ｉｎｃ．から入手可能）を含む。
【００３９】
図２Ａを参照すると、対話方式環境（例えば、メッセージボード）の動作が描写される。ユーザーインターフェイス２００ａが１人以上のユーザーに提供される。ユーザーインターフェイス２００ａは、ＩＮＴＥＲＮＥＴ  ＥＸＰＬＯＲＥＲ（登録商標）（Ｒｅｄｍｏｎｄ，ＷａｓｈｉｎｇｔｏｎのＭｉｃｒｏｓｏｆｔ  Ｃｏｒｐｏｒａｔｉｏｎから入手可能）；ＦＩＲＥＦＯＸ（登録商標）（Ｍｏｕｎｔａｉｎ  Ｖｉｅｗ，ＣａｌｉｆｏｒｎｉａのＭｏｚｉｌｌａ  Ｆｏｕｎｄａｔｉｏｎから入手可能）；ＯＰＥＲＡ（登録商標）（Ｏｓｌｏ，ＮｏｒｗａｙのＯｐｅｒａ  Ｓｏｆｔｗａｒｅ  ＡＳから入手可能）；またはＣＨＲＯＭＥＴＭ（Ｍｅｎｌｏ  Ｐａｒｋ，ＣａｌｉｆｏｒｎｉａのＧｏｏｇｌｅ  Ｉｎｃ．から入手可能）のようなインターネットブラウザを介して提供され得る。あるいは、ユーザーインターフェイス２００ａは、クライアント１０４ａ〜１０４ｃにインストールされたアプリケーションのような、特別にプログラムされたソフトウェアを介して提供され得る。
【００４０】
ユーザーインターフェイス２００ａは、１つ以上のポスティング２０２ａ〜２０２ｃを含む。これらのポスティング２０２ａ〜２０２ｃは、以前にユーザーによりサーバーに伝送されている。各ポスティング２０２ａ〜２０２ｃは、ポスティング２０２ａ〜２０２ｃの著者に関する情報を含み得る。例えば、ポスティング２０２ａ〜２０２ｃは、ユーザー名２０４ａ〜２０４ｃおよび／またはポスティング２０２ａ〜２０２ｃの著者に関連付けられた写真、アイコンまたはアバター２０６ａ〜２０６ｃを表示し得る。各ポスティング２０２ａ〜２０２ｃは、著者に関する他の情報、例えば、年齢、性別、疾患、治療なども表示し得る。そのような情報は、図２ａに描写されるように、モザイク２０８ａ〜２０８ｃでチャートを用いて表され得る。ポスティングは、また、他のユーザーにより「助け」と指定された、著者による投稿の数およびポスティングの数のような著者のポスティング履歴に関する情報２１０ａ〜２１０ｃを表示し得る。
【００４１】
ポスティング２０２ａ〜２０２ｃは、また、ユーザー投稿コンテンツ２１２ａ〜２１２ｃを含み得る。例えば、図２のポスティング２０２ａにおいて、ユーザー“ＢｅｒｎｉｅＢ”は、ＰＲＯＺＡＣ（登録商標）（塩酸フルオキセチン）に対する他のユーザーの経験を尋ねる。ユーザー投稿コンテンツ２１２ａ〜２１２ｃは、テキスト、オーディオ、ビデオ、説明図、エモティコンなどを含む任意のメディアの組み合わせを含み得る。ポスティング２０２ａ〜２０２ｃは、いつポスティングが送られたかを示すタイムスタンプ２１４ａ〜２１４ｃを含み得る。
【００４２】
１人以上のユーザーは、ユーザーによるポスティング２０２ａに、フィールド２１５にコンテンツを入力し、「返信投稿」ボタン２１７を押すことにより応答し得る。この返信は、１人以上のユーザーが閲覧するメッセージボードに加えられる。例えば、図２のポスティング２０２ｂおよび２０２ｂに描写されるように、ユーザー“ＭＡＳａｒａｈ”および“Ｅｎｒｉｑｕｅ”は、ＰＲＯＺＡＣ（登録商標）に対する彼らの経験についての評論および他者の経験についての評論を提供する。
【００４３】
本明細書の発明は、メッセージボードへのユーザー情報のコンテキストリンクされたインポートを考慮に入れる。メッセージボードは、複数のユーザーに関する情報を含む１つ以上のデータベースに関連付けられる。
【００４４】
格納された情報は、１つ以上の病状メトリックを含み得る。病状メトリックは、病状に関する質的または量的メトリックであり得る。例えば、病状メトリックは、一日のうちの特定の時間における健康であるという筋萎縮性側索硬化症（ＡＬＳ）患者の感覚の質的計測であり得る。患者は、ＡＬＳの症状および治療ならびに食事および運動のような、その人の状態に相互作用し、影響を与える日々の活動に起因して、一日のうちの特定の時間に、非常に良い、良い、普通、悪い、または非常に悪いと感じ得る。あるいは、メトリックは、血圧（例えば、心臓病の患者に対する）、血液検査値（例えば、ナトリウム、カリウム、塩化物、重炭酸塩、血液尿酸窒素、マグネシウム、クレアチニン、グルコース、カルシウム、コレステロール、二酸化炭素、酸素、ヘマトクリット）、脈拍、体温、Ｔ細胞数などのような特質の量に関し得る。
【００４５】
さまざまな評価尺度が、病状を計測するために存在する。患者が非常に良い／良い／普通／悪い／非常に悪いと感じているかどうか尋ねるような不連続な尺度に加えて、患者に自身の病状を１つ以上の局面で量化、例えば、１〜１０の数的尺度で量化するように依頼する数的尺度が用いられ得る。メトリックは、連続した計測に基づいて状態の数的表示を作る複数の要素で構成されたメトリックであり得る。うつ病を計測する評価尺度は、ベックうつ病特性尺度、ハミルトンうつ病評価尺度およびモントゴメリーアスベルグうつ病評価尺度を含む。ＡＬＳ患者を評価する評価尺度は、Ａｐｐｅｌ  ＡＬＳ評価尺度およびＡＬＳ機能評価尺度（ＡＬＳＦＲＳ）を含む。パーキンソン病の評価尺度は、統一パーキンソン病評価尺度（ＵＰＤＲＳ）を含む。
【００４６】
特定のユーザーに対する病状メトリックは、特定の時間に関連付けられ得る。例えば、ユーザーは、自身のうつ病の深刻さは、２００９年１月１日の午前９時の時点では、１〜１０の尺度で「７」であると報告し得る。複数の関連付けられた病状メトリックおよび時間データは、図２に描写されるように、チャート２１６ａ〜２１６ｃ（例えば、折れ線チャート）を作るために使用され得る。
【００４７】
さらに図２を参照すると、チャート２１６ａ〜２１６ｃは、１つ以上の介入に関する情報２１８ａ、２１８ｂを含み得る。そのような情報は、治療のための投薬情報（例えば、時間および日にちおよび量）および／または時間に対するユーザー内の治療の集中に関する薬物速度論のデータを含み得る。
【００４８】
特定の単数または複数の病状メトリック、単数または複数の介入、および／または時間フレームが特定の患者のポスティングを賛辞するために選択され得る。例えば、ポスティング２０２ａにおいて、ユーザー「ＢｅｒｎｉｅＢ」は、ＰＲＯＺＡＣ（登録商標）について尋ねる。サーバー１０２は、ポスティングがＰＲＯＺＡＣ（登録商標）に関することを検知し、ＰＲＯＺＡＣ（登録商標）に対するユーザーの投薬歴に関する情報を含む。サーバー１０２は、また、ユーザーのポスティングがうつ病に関係することも推測し得る。この推測は、数多くのファクターに基づいてなされ得る。例えば、ユーザーは、うつ病に関係するフォーラムに投稿し得る。もう１つの例においては、サーバー１０２は、Ｐｈｙｓｉｃｉａｎｓ‘  Ｄｅｓｋ  ＲｅｆｅｒｅｎｃｅまたはＥＰＯＣＲＡＴＥＳ（登録商標）データベース（Ｓａｎ  Ｍａｔｅｏ，ＣａｌｉｆｏｒｎｉａのＥｐｏｃｒａｔｅｓから入手可能）のようなリソースに相談し、ＰＲＯＺＡＣ（登録商標）の情報を処方することを決定する（つまり、どのような徴候にＰＲＯＺＡＣ（登録商標）が認可されているか）。さらにもう１つの例において、サーバー１０２は、他の患者によるさまざまな治療の「オフラベル」の使用を検知するために、既存のユーザー情報を掘り起こす。
【００４９】
ここで、図２Ｂを参照すると、ポスティング２０２と共に、さまざまな他の情報が表示され得る。例えば、ポスティング２０２ｄにおいて、ユーザー「Ｋａｔｅｒｉｎａ」に対するユーザー投稿コンテンツ２１２ｄは、彼女は、Ｄ９０Ａ変異を有することを述べている。チャート２１６ｄは、ＳＯＤ１遺伝子上のＤ９０Ａ変異の場所を示した概略図である。
【００５０】
ポスティング２０２ｅにおいて、ユーザー「Ｋａｔｅｒｉｎａ」に対するユーザー投稿コンテンツは、彼女が最近非常勤職を辞めたことを述べている。チャート２１６ｅは、ユーザーの職歴を描写した折れ線チャートである。さまざまな色のついたコードが付されたバーおよびシンボルは、ユーザーが教育プログラムに入学し、常勤職を有し、非常勤職を有していた期間を示している。
【００５１】
ポスティング２０２ｆにおいて、ユーザー「Ｐｈｉｌ」に対するユーザー投稿コンテンツ２１２ｆは、彼が彼の家族からサポートを受けていることを述べている。チャート２１６ｆは、ユーザーの家族関係の状態を表示する折れ線チャートである。さまざまな厚さの色のついたコードが付されたバーおよびシンボルは、ユーザーが独身であり、恋愛関係にあり、結婚した期間および、ユーザーの子供がいつ、どこで生まれたかを示している。
【００５２】
ポスティング２０２のユーザー投稿コンテンツ２１２に基づいて、さまざまな他の情報がインポートされ得、表示され得る。例えば、ユーザー投稿コンテンツ２１２が、アフガニスタンにおける不朽の自由作戦の一部としてのユーザーの配備を議論した場合、チャート２１６は、ユーザーの配備歴を表す折れ線チャートであり得る。関連する情報は、ランク、隊、戦闘状態などを含み得る。もう１つの例において、メッセージボードがアカデミックな特性の場合、ユーザー投稿コンテンツ２１２に基づいて、関連する書籍またはユーザーの履歴書の一部が、ポスティング２０２にインポートされ得る。加えて、記事または記事の一部（例えば、要約）がさまざまなソース（例えば、ＰＵＢＭＥＤ（登録商標）（Ｔｈｅ  Ｎａｔｉｎａｌ  Ｌｉｂｒａｒｙ  ｏｆ  Ｍｅｄｉｃｉｎｅ  ｏｆ  Ｂｅｔｈｅｓｄａ，Ｍａｒｙｌａｎｄから入手可能）；またはＴＨＥ  ＮＥＷ  ＹＯＲＫ  ＴＩＭＥＳ（登録商標）（Ｎｅｗ  Ｙｏｒｋ，  Ｎｅｗ  ＹｏｒｋのＴｈｅ  Ｎｅｗ  Ｙｏｒｋ  Ｔｉｍｅｓ  Ｃｏｍｐａｎｙより入手可能））からインポートされ得、スレッドで表示され得る。ブログ、マイクロブログ（例えば、ＴＷＩＴＴＥＲ（登録商標）（Ｓａｎ  Ｆｒａｎｃｉｓｃｏ，ＣａｌｉｆｏｒｎｉａのＴｗｉｔｔｅｒ，Ｉｎｃ．より入手可能））、注釈、（例えば、ＦＡＣＥＢＯＯＫ（登録商標）（Ｐａｌｏ  Ａｌｔｏ，ＣａｌｉｆｏｒｎｉａのＦａｃｅｂｏｏｋ，Ｉｎｃ．より入手可能）のようなソーシャルネットワーキングサイト上の）ステータスアップデートなどのような他のメディアも、また、インポートされ得、スレッドで表示され得る。
【００５３】
発明は、また、ポスティングに関連するさまざまなデータを表示する１つ以上のチャート２１６を表示し得る。例えば、ユーザー投稿コンテンツ２１２が肺癌について議論している場合、ユーザーの環境的な露出（例えば、アスベストを含んだ工場での雇用）、ユーザーの家族歴（例えば、ユーザーの先祖の癌に関する情報を含んだ家系図）およびユーザーの遺伝的プロファイルに関する情報を含んだチャート２１８が作られ得る。他の環境的なファクターは、気温、気圧、降水量、日差しなどのような天候情報を含み得る。ユーザーの場所、金融データ（例えば、Ｓ＆Ｐ  ５００（登録商標）インデックス（Ｎｅｗ  Ｙｏｒｋ，Ｎｅｗ  ＹｏｒｋのＳｔａｎｄａｒｄ  ＆  Ｐｏｏｒ‘ｓ  Ｃｏｒｐｏｒａｔｉｏｎから入手可能）を考慮した金融市場のパフォーマンス）などのような他の外部データを含まれ得る。そのような外部データは、特に個人ユーザーに合わせられ得る。例えば、ユーザーは、個人化された金融データまたはその抽出がユーザーの状態に関するデータと共に示されるように、利用可能な自身のポートフォリオ作り得る。
【００５４】
システムは、ユーザーが、プライベート情報（例えば、病歴、金融歴など）がどのように使用されるか制御することを可能にするプライバシーセッティングを含み得る。ユーザーは、全ての情報またはある情報がさまざまな様態で使用されることを制限し得る。例えば、ユーザーは、自身のデータの全てが総計のデータを計算するために用いられることを可能にし得るが、特定のユーザーのコンテキストで、あるデータを閲覧することを制限し得る。
【００５５】
関連するユーザー情報を有するチャート２１６を閲覧することにより、他のユーザーは、ユーザーのポスティング２０２を閲覧するためのさらなるコンテキストを有する。例えば、ユーザーは、ＰＲＯＺＡＣ（登録商標）を開始して以降、ＢｅｒｎｉｅＢのうつ病が改善していないことに気付き得る。さらに、他のユーザーは、ユーザー「ＢｅｒｎｉｅＢ」の持続時間および投薬レベルを観察し得、自身の投薬経験に基づいて、評論を提供し得る。例えば、患者がＰＲＯＺＡＣ（登録商標）は自身のうつ病を改善していないとコメントした場合、別のユーザーは、チャートから彼はＰＲＯＺＡＣ（登録商標）を二週間服用したのみだということに気付き得、ユーザーの体内で安定した集中を達成するには不十分な時間であり得、それに応じてコメントし得る。
【００５６】
加えて、関連したユーザー情報を組み込むことは、投稿者による任意の記憶バイアスに反論し得る。恐らく、病状メトリックを経験しながら、ユーザーは病状メトリックを誇張するという、あったとしても最小限のモチベーションを有する。そのため、このデータは、ポスティング２０２におけるユーザーの記憶が正確なものか、それによって、正確なポスティング２０２の信頼性を向上させ、不正確なポスティング２０２に異議を唱えるかどうかを確かめる役割を果たし得る。
【００５７】
再び図２Ａを参照すると、ポスティング２０２ｂにおけるチャート２１６ｂは、投稿者のＰＲＯＺＡＣ（登録商標）の増加した投薬量（これは、チャート２１６ｂの底に沿ったより厚い線により表される）および患者のうつ病の対応する改善（これは、折れ線チャートの下方スロープにより表される）を確認する。
【００５８】
加えて、または代替的に、対話方式環境は、ポスティングとならび、病状および／または介入に関する情報を表示し得る。例えば、メッセージボードは、疾病予防管理センター、ＷｅｂＭＤ（登録商標）サービス、Ｐｈｙｓｉｃｉａｎｓ’  Ｄｅｓｋ  Ｒｅｆｅｒｅｎｃｅ、ＥＰＯＣＲＡＴＥＳ（登録商標）データベースなどのようなソースからのうつ病および／またはＰＲＯＺＡＣ（登録商標）に関する情報へのリンクを含み得る。
【００５９】
チャート２１６は、対話方式であり得る。例えば、ユーザーは、チャート２１６の可視時間範囲を変更し得る。同じように、ユーザーは、１つ以上のチャート２１６またはチャートコンポーネントを隠し得る。ユーザーは、また、例えばチャート２１６上をクリックすることにより、さらなるチャートコンポーネントまたはチャート２１６に対して下にあるデータを閲覧するために「掘り下げ」得る。
【００６０】
可視時間範囲は、メッセージスレッドの情報および／またはスレッドを見ているユーザーに基づいて最初に計算され得る。例えば、スレッドのポスティングが冬の間のうつ病の症状におけるユーザーの変化を指す場合、各チャート２１６は、冬の月の間の病状メトリックを表示するように構成され得る。別の代替案において、ユーザーは、他のユーザーのＰＲＯＺＡＣ（登録商標）に対する経験を尋ねる。チャート２１６は、各ユーザーがＰＲＯＺＡＣ（登録商標）を服用し始めた後の期間にわたる病状メトリックを表示するように構成され得る。
【００６１】
チャート２１８とのユーザーインタラクションは格納され得、ポスティング２０２をランク付けおよび／またはチャートを精製するために掘り起こされ得る。例えば、チャート２１８への頻繁なクリックは、チャートが多くのユーザーに興味深いことを示し得、ポスティング２０２の卓越した表示という結果になり得る。同じように、ユーザーが有意な時間期間、チャート２１８を見た場合、ポスティングは、多くのユーザーにとって興味深くあり得る。対照的に、多くのユーザーがチャート２１８を隠すまたはチャート２１８を閲覧する時間をほとんど使わなかった場合、ポスティング２０２は、あまり興味深くはない場合があり、より卓越性が低い表示という結果になる。
【００６２】
ユーザーは、また、インターフェイス２００の１つ以上のボタンおよび／または他のＧＵＩ要素を通したポスティング２０２および／またはチャートの有用性を示し得る。
【００６３】
総計のチャートは、メッセージスレッドに対して表示され得る。総計のチャートは、スレッドにおいてポスティング２０２を作る複数のセットおよび、または全てのユーザーに対する平均データを含み得る。そのような総計のチャートは、スレッドの他のユーザーと比較した、ユーザーの病状の特性に関する価値あるコンテキストを提供し得る。
【００６４】
関連情報の識別
関連するユーザー情報は、タギングまたは自然言語処理のようなさまざまな方法によるインポートのために選択され得る。関連するユーザー情報は、自動で識別され得る（つまり、人の関与の必要性なしに）。
【００６５】
タギング方法において、１人以上のユーザーは、ユーザー投稿コンテンツ２１２の１つ以上の関連する用語を識別し得る。これは、いくつかの方法で起こり得る。例えば、ユーザーは、ユーザーインターフェイス２００の１つ以上の用語を選択し得、ボタンを押して、この１つ以上の用語を「関連」としてタグを付け得る。加えて、または代替的に、１人以上の管理者および／またはモデレーターが関連する用語にタグを付け得る。用語は、関連としてポスティング２０２の著者または別のユーザーによりタグが付けられ得る。１つより多くの用語が各ポスティング２０２においてタグが付けられ得る。
【００６６】
対照的に、図３は、自然言語処理を通したユーザー情報のコンテキストリンクされたインポートのための方法を描写する。そのような方法は、例えば、本明細書で説明されるように、サーバー１０２上にインプリメントされ得る。ステップＳ３０２において、対話方式の環境（例えば、メッセージボード）が提供される。ステップＳ３０４において、メッセージ（例えば、ポスティング）が、予め識別されたユーザーから受信される。
【００６７】
ユーザーは、当業者に公知のさまざまな方法を通して予め識別され得る。例えば、ユーザーは、対話方式の環境にアクセスするとき、ユーザーネームおよびパスワードを入力し得る。別の例において、従来のインターネットアーキテクチャにおけるクッキーおよび／またはＦＬＡＳＨ（登録商標）またはＡＩＲ（登録商標）プラットホームにおけるローカルストアドオブジェクト（ＬＳＯ）のような永続性オブジェクトがクライアント１０４ａ〜１０４ｃに格納され、識別子として機能する。クッキーは、Ｈ．Ｍ．Ｄｅｉｔｅｌ他，Ｉｎｔｅｒｎｅｔ  ＆  Ｗｏｒｌｄ  Ｗｉｄｅ  Ｗｅｂ：Ｈｏｗ  ｔｏ  Ｐｒｏｇｒａｍ  １０６０−６８（２０００）で説明される。ＦＬＡＳＨ（登録商標）またはＡＩＲ（登録商標）ソフトウェアプラットホームは、Ｓａｎ  Ｊｏｓｅ，ＣａｌｉｆｏｒｎｉａのＡｄｏｂｅ  Ｓｙｓｔｅｍｓ  Ｉｎｃｏｒｐｏｒａｔｅｄから入手可能である。
【００６８】
ステップＳ３０６において、予め識別されたユーザーに関するデータが選択される。いくつかの実施形態において、関連データは、処理ステップ３０６ａ〜３０６ｃを用いて、メッセージから掘り起こしたコンテキスト情報に基づいて選択される。前処理は、リポートを、言語学的意味を有するトークン（つまり、単語）のリストにマップする。前処理は、以下のステップのうちの１つ以上を含み得る：トークン化（Ｓ３０６ａ）、ストップワード除去（Ｓ３０６ｂ）および見出し語選定（Ｓ３０６ｃ）。
【００６９】
トークン化（Ｓ３０６ａ）は、句読点を単語から分離する。
【００７０】
ストップワード（「ストップワード」または「ノイズワード」とも呼ばれる）は、過度に多いメッセージに出現する共通な単語であり、そのため、弁別的力を有さない。つまり、ストップワードは、メッセージのエッセンスをとらえるために用いることができず、１つのメッセージを別のメッセージから区別し得る。スタンダードなストップワードのリストは、Ｉｔｈａｃａ，Ｎｅｗ  ＹｏｒｋのＣｏｒｎｅｌｌ  Ｕｎｉｖｅｒｓｉｔｙから入手可能なＳＭＡＲＴ  Ｉｎｆｏｒｍａｔｉｏｎ  Ｒｅｔｒｉｅｖａｌ  Ｓｙｓｔｅｍのようなソフトウェアプログラムで提供される。ＳＭＡＲＴストップワードリストは、ｆｔｐ：／／ｆｔｐ．ｃｓ．ｃｏｒｎｅｌｌ．ｅｄｕ／ｐｕｂ／ｓｍａｒｔ／ｅｎｇｌｉｓｈ．ｓｔｏｐで入手可能である。特定のセットのドキュメントに対するストップワードのコレクションは、既存のメッセージの８０％より多くに出現する単語を選択することにより作られ得る。Ｒ．Ｂａｅｚａ−Ｙａｔｅｓ  ＆  Ｂ．Ｒｉｂｅｉｒｏ−Ｎｅｔｏ，Ｍｏｄｅｒｎ  Ｉｎｆｏｒｍａｔｉｏｎ  Ｒｅｔｒｉｅｖａｌ  §７．２（１９９９）参照。
【００７１】
見出し語選定（Ｓ３０６ｂ）は、単語の各形態的バリエーションをその語幹にマップする。例えば、単語「ｇｏ」、「ｇｏｉｎｇ」、「ｗｅｎｔ」および「ｇｏｎｅ」は、その語根または語幹である「ｇｏ」に見出し語選定される。適切な見出し語選定語は、Ｐｒｉｎｃｅｔｏｎ  Ｕｎｉｖｅｒｓｉｔｙ  ｏｆ  Ｐｒｉｎｃｅｔｏｎ，  Ｎｅｗ  Ｊｅｒｓｅｙから入手可能なＷＯＲＤＮＥＴ（登録商標）システムを含む。他の見出し語選定語が用いられ得、Ｇ．Ｍｉｎｎｅｎ他，“Ａｐｐｌｉｅｄ  ｍｏｒｐｈｏｌｏｇｉｃａｌ  ｐｒｏｃｅｓｓｉｎｇ  ｏｆ  Ｅｎｇｌｉｓｈ，”７（３）Ｎａｔｕｒａｌ  Ｌａｎｇｕａｇｅ  Ｅｎｇｉｎｅｅｒｉｎｇ  ２０７−２３（２００１）で説明されるＭＯＲＰＨＡＴＭを含み、ｈｔｔｐ：／／ｗｗｗ．ｉｎｆｏｒｍａｔｉｃｓ．ｓｕｓｘ．ａｃ．ｕｋ／ｒｅｓｅａｒｃｈ／ｇｒｏｕｐｓ／ｎｌｐ／ｃａｒｒｏｌｌ／ｍｏｒｐｈ．ｈｔｍｌで入手可能である。
【００７２】
メッセージが前処理されると、関連データは、識別されたコンテキスト情報に基づいて選択され得る。例えば、「血圧」がコンテキストデータとして識別された場合、ユーザーの血圧歴（例えば、チャート）に関するデータが選択され得る。
【００７３】
ステップＳ３０８において、ユーザーに関する関連データがメッセージと共に表示される。
【００７４】
ステップＳ３１０において、データベースは、メッセージからのデータでアップデートされる。例えば、ユーザーは、今日、２５のＦＲＳスコアを達成したとメッセージで述べ得る。この情報は、ユーザーが直接情報を入力したのと同じ様態で、抽出されてデータベースに入力され得る。
【００７５】
ステップＳ３１２において、応答が別の予め識別されたユーザーから受信される。ステップＳ３１４〜Ｓ３１８において、関連データが応答から抽出される。この関連データは、（ｉ）応答の著者を識別するため、（ｉｉ）応答の主題を識別するためおよび／または（ｉｉｉ）関連する情報をデータベースから検索し、表示されるためおよび／または上記で議論されたのと同じまたは類似した様態で、データベースに投稿され得るために用いられ得る。
【００７６】
ここで図４を参照すると、本明細書の発明がコンピューターソフトウェアおよび／またはハードウェアシステム４００において実施され得る。システム４００は、メッセージングモジュール４０２、データインポートモジュール４０４および／または認証モジュール４０６のような１つ以上のモジュールを含み得る。
【００７７】
メッセージングモジュール４０２は、メッセージボードのような対話方式の環境をインプリメントする。したがって、メッセージングモジュール４０２は、本明細書で説明されるように対話方式の環境を提供し得、対話方式の環境に対するメッセージを受信し得、対話方式の環境上にメッセージと共に関連データを表示し得る。
【００７８】
システム４００の柔軟性および適応性を向上させるために、メッセージングモジュール４０２は、データインポートモジュール４０４と通信し得る。データインポートモジュール４０４は、予め識別されたユーザーに関する関連データをデータベースから、本明細書で議論されたメッセージに含まれる情報（例えば、図３および関連付けられたテキスト）に基づいて選択する。
【００７９】
メッセージングモジュール４０２は、また、認証モジュール４０６と通信し得、予め識別されたユーザーを認証する。例えば、メッセージングモジュール４０２は、ユーザー名および／またはパスワードを認証モジュール４０６にパスし得、次いで、認証モジュール４０６は、ユーザーを認証する。あるいは、認証モジュール４０６は、ユーザーの永続的認証を維持し得、メッセージングモジュール４０２から要求された場合、その認証を確認し得る。
【００８０】
当業者に認められるように、本明細書で説明されるモジュール４０２、４０４、４０６は、コンポーネント（つまり、コンポーネント間の通信のために用いられるうまく定義されたインターフェイスを有する機能または論理コンポーネント）としてインプリメントされ得る。例えば、システムは、メッセージングコンポーネントをいくつかのコンポーネント（例えば、さまざまなアプローチをメッセージボードにインプリメントするコンポーネント）から選択し、このコンポーネントをデータインポートコンポーネント（例えば、特定のタイプのデータおよび／またはデータベースのためにデザインされたデータインポートモジュール）および認証コンポーネント（例えば、特定のタイプの認証のためにデザインされた認証コンポーネント）に結合させることにより、組み立てられ得る。
【００８１】
さらに、当業者は、本明細書で説明されるモジュール４０２、４０４、４０６は、ハードウェア、ソフトウェアまたはハードウェアとソフトウェアとの組み合わせを用いることでインプリメントされ得ることを認める。例えば、１つ以上のモジュールは、本明細書で説明される発明をインプリメントするための適切なソフトウェアを含んだ１つ以上の汎用コンピューターにインプリメントされ得る。
【００８２】
例示的データ入力ユーザーインターフェイス
対話方式の環境は、ユーザーが介入データまたは病状メトリックデータのようなデータを入力することを可能にするインターフェイスを含み得る。このインターフェイスは、メッセージボードと同じページ上に含まれ得るか、またはリンクによりアクセス可能かまたはポップアップウインドウとしてアクセス可能であり得る。
【００８３】
ここで図５を参照すると、データ入力のための例示的ユーザーインターフェイス５００が提供される。ユーザーインターフェイス５００は、パーキンソン病に苦しむ患者のためにカスタマイズされたものとして例示されるが、本明細書で説明され、描写される原理は、等しく、任意の疾患に対して適用可能である。
【００８４】
ユーザーインターフェイス５００は、病状メトリック部５０２を含み、これは、患者が病状メトリック（この例においては、患者の機能的能力）を入力することを可能にする。ユーザーは、複数のデータポイント５０４を病状メトリックチャートに置き得、これは時間尺度を含む。データポイント５０４は、時間および／または大きさに関して調節され得る。例えば、患者が今どのように感じているか、または指定された時間にどのように感じているかを示す場合、患者は、データポイント５０４を上または下に動かすことに限定され得る。あるいは、患者は、データポイントを左または右にドラッグすることにより、時間に対するデータを入力し得る。患者は、未来および／または過去のデータポイントを設定することを制限され得る。
【００８５】
ユーザーインターフェイス５００は、また、介入部５０８を含む。介入部５０８は、患者が、医薬投与、治療薬投与、栄養サプリメントの投与、ビタミンの投与、運動、理学療法、マッサージ、ストレッチ、食品の消費、休憩および睡眠のような１つ以上の介入を記録することを可能にする。例えば、患者は、食事を食べるときを、バー５１０ａ、５１０ｂ、５１０ｃを調節することにより指定し得、食事の開始および終了を示す。同じようにして、患者は、１つ以上の薬５１４ａ〜５１４ｅが投与されたときを時間尺度上にマーカー５１２（錠剤を描写し得る）を置くことにより示し得る。
【００８６】
さまざまなタイプの治療薬が特定の回数だけ予定され得る。例えば、患者は、午前６時にＭＡＤＯＰＡＲＴＭ（レボドパ；ベンセラジド塩酸塩）を服用するように処方され得る。この状況において、ユーザーインターフェイス５００は、医薬スケジュールを表示し得る。患者は、マーカー５１２ａをドラッグすることにより実際の投与を反映するようにこのスケジュールを変更し得る。同じようにして、患者は、マーカー５１２ａをクリックすることにより、薬が消費されたことを示し得る。マーカーをクリックすることは、マーカー５１２ａの見かけを変え得る（例えば、その色）。そのため、患者、特に記憶に問題を有する患者により、用いられ得、より正確に治療プログラムに従う。
【００８７】
ユーザーインターフェイス５００は、また、時間に渡る患者内の治療の集中を描写する薬物動態学的カーブ５１６のような薬物動態学的データを含み得る。複数の薬物動態学的カーブ５１６がさまざまな色またはパターンで描写され得、さまざまな治療のいろいろな薬物動態学的特性を反映する。薬物動態学的カーブは、当業者に公知の既存の使用公式を用いて生成され得る。
【００８８】
スライダーバー
図６Ａ〜図６Ｄを参照すると、データ入力のためのユーザーインターフェイスが提供される。図５におけるように、病状メトリック部６０２が提供される。図６Ａにおいて、一日の第一の病状メトリックが記録される。患者は、午前６時からメトリックを記録したいと示すか、または午前６時にユーザーインターフェイスにアクセスする。この時点で、ユーザーインターフェイスは午前６時に初期設定で実行し得る。患者は、スライダーバー６０４を操作して、病状メトリックを入力する。例えば、患者が、「２」が治療メトリック（例えば、０〜４の尺度上の痛みの計測）であると示したい場合、ユーザーは、スライダーバー６０４のハンドル６０６を、図６Ａに描写されるように「２」の位置までドラッグする。
【００８９】
データポイント６０８ａは、ハンドル６０６が動かされるのに合わせて、垂直線６１０ａに沿って上下に動き得るか、または、データポイント６０８ａは、病状メトリックがファイナライズされるまで出現しない場合がある。メトリックは、ハンドル６０６をクリックすることにより、ハンドル６０６をロックすることを含む数多くの方法で「ファイナライズ」され得る。加えて、または代替的に、メトリックは、例えば、約１５秒、約３０秒および約１分の無活動状態期間により、ファイナライズされ得る。別の代替案において、データポイント６０８ａは、また、左または右に動かされ得、データポイントに関連付けられた時間を変更する。
【００９０】
図６Ａのコンテキストで議論したように、患者は、午前６時からメトリックを記録したいと示し得るか、または午前６時にユーザーインターフェイスにアクセスし得、この時点で、ユーザーインターフェイスは午前６時に初期設定で実行し得る。患者は、ユーザーインターフェイスを時間期間、開いたままにすることができ、患者は、ユーザーインターフェイスにアクセスし続けることができ、スライダーバーを操作し得る。ユーザーがスライダーバー６０４を操作する度に、新たなデータポイントが、スライダーバー６０４が操作された時間に対してセットされ得る。
【００９１】
ここで図６Ｂを参照すると、患者は、第二の病状メトリックを入力する。患者は、再びスライダーバー６０４のハンドル６０６を動かす。データポイント６０８ｂがハンドル６０６と一緒に動くようにシステムが構成されている場合、線セグメント６１２ａも、また、動く。したがって、患者は、病状メトリックが快方に向かっているか、悪化していると自身が示しているか容易に把握し得、そのような変化が本当に自身の経験を反映しているか立証し得る。
【００９２】
図６Ｃを参照すると、患者は、再び、スライダーバー６０４を操作し、第三のデータポイント６０８ｃを入力して、新たな線セグメント６１２ｂを形成する。
【００９３】
図６Ｄを参照すると、患者は、午後３時に、病状が「３」を維持していることを示す。スライダーバーハンドル６０６は、午後１２時データ入力から「３」位置であり続ける。患者は、スライダーバー６０４をロックするためにハンドル６０６をクリックすることにより、メトリックが「３」を維持していることを示し得る。この間、線セグメント６１２ｃは、時間が午後１２時から進行するにつれ、データポイント６０８ｃから水平線上に大きくなり得る。そうでなければ、スライダーバーハンドル６０６は、データポイント６０８ｃがセットされた後、消え得る。ハンドル６０６は、患者がスライダーバー６０４をクリックするか、マウスを動かしたときに、再び出現する。
【００９４】
他のユーザー生成コンテンツに対する発明の適用
対話方式の環境のコンテキストで説明したが、発明はさまざまな他の用途に対して適用可能である。具体的には、ユーザー情報は、対話方式の環境へのポスティングを除くユーザー生成コンテンツに基づいて、選択的にインポートされ得る。
【００９５】
１つ例において、ユーザーは、プライベートメッセージを互いに送信する。そのようなプライベートメッセージは、リアルタイム（インスタントメッセージに類似）で送信され得るか、または非同期的（ｅメールに類似）に送信および受信され得る。ユーザー情報（例えば、送信者または受信者に関する情報）は、メッセージと共に受信者に示され得る。
【００９６】
別の例において、患者は自身の医師と通信し得、処方を要求および／または再び処方してもらう。ユーザー情報は、要求される情報（例えば、処方の名前）に基づいて選択され、要求と共に医師に示される。
【００９７】
セルフアップデートフォーラム
ここで図７を参照すると、発明は、セルフアップデートフォーラム７００を提供する。ポスティング７０２ａにおいて、ユーザー「Ｒｏｂｅｒｔ」は、彼の医師が彼のうつ病に対してＣＹＭＢＡＬＴＡ（登録商標）（デュロキセチン）を処方したことを示す。
【００９８】
ポスティング７０２ａは、チャート７１６ａを含む。チャート７１６ａは、本明細書で議論されるように、ポスティング７０２ａの日付と現在の日付（図７に描写される例において、２００９年３月１日）とにわたって、ｘ軸に沿って１つ以上のメトリックを表示するように構成され得る。したがって、任意の閲覧者が、（ｉ）投稿者がフォーラムに戻り、さらなるポスティングを加えるか、または（ｉｉ）読者が、任意の続きの単数または複数のポスティングを発見する必要性なしに、投稿者の状態がどのように進展したかにアクセスし得る。
【００９９】
投稿者に関する現在の情報を閲覧する他のユーザーの能力は、２００９年２月１日のユーザー「Ｊｕａｎｉｔａ」からのポスティング７０２ｂに反映されている。ユーザー「Ｊｕａｎｉｔａ」は、チャート７１６ａ（２００８年６月１日から２００９年２月１日当時までにわたる）を閲覧し、ユーザーＲｏｂｅｒｔの状態が、「Ｊｕａｎｉｔａ」のポスティング７０２ｂに反映されるように、快方に向かったことを視覚的に認め得る。Ｊｕａｎｉｔａのポスティング７０２ｂは、また、彼女の安定した状態を描写するチャート７１６ｂを含む。
【０１００】
ブログへの組み込み
ここで図８を参照すると、発明の実施形態が、ウェブログ（一般的に「ブログ」と呼ばれる）に適用され得る。ブログのユーザーインターフェイス８００は、投稿８０２および１つ以上のコメント８０４を含み得る。
【０１０１】
ブログ投稿８０２において、著者は、自身の最近の腎臓移植について議論しており、彼女のＢＵＮ（血中尿素窒素）およびクレアチニンレベルについて議論している。ソフトウェアは、ＢＵＮおよびクレアチニンのような興味のある用語を求めてブログ投稿を掘り起こし、関連データを求めてデータベースまたは他のデータソースをクエリーし、本明細書で説明される方法（例えば、方法３００）に類似した様態で、興味のある用語に関する１つ以上のグラフィカル要素８０６ａ、８０６ｂを生成する。図８に描写される例において、著者のＢＵＮおよびクレアチニンレベルのグラフが描写される。
【０１０２】
１人以上の読者は、コメント８０４をブログ８００に投稿し得る。コメント８０４は、ブログ投稿８０２と同じまたは類似した様態で、興味のある用語を求めて掘り起こされ得る。１つ以上のグラフィカル要素８０８ａ、８０８ｂは、コメント８０４に関連付けられ得る。
【０１０３】
（参照による援用）
全ての特許、公開された特許出願および本明細書で開示される他の参照は、参照することによりその全体が、参照することにより明確に援用されている。
【０１０４】
（相等物）
当業者は、型通りの実験法、本明細書で説明される発明の特定の実施形態の多くの相等物のみを用いることを認めるか、または確認し得る。具体的には、本願は、断続的に「疾患」に対する発明の適用について議論してきたが、発明は等しく、加齢、妊娠などの他の医療的イベントに適用可能である。さらに、発明は、医療的イベントおよび病状に限定されず、運動トレーニング、体重減少、学術的パフォーマンス、金融管理などのような他のトピックに適用可能である。そのような相等物は、以下の特許請求の範囲により包含されることが意図される。
【図１】
0005519770.tif 000002
【図３】
0005519770.tif 000003
【図４】
0005519770.tif 000004
【図５】
0005519770.tif 000005
【図６Ａ】
0005519770.tif 000006
【図６Ｂ】
0005519770.tif 000007
【図６Ｃ】
0005519770.tif 000008
【図６Ｄ】
0005519770.tif 000009
【図７】
0005519770.tif 000010
【図８】
0005519770.tif 000011
【図２Ａ】
0005519770.tif 000012
【図２Ｂ】
0005519770.tif 000013